(57)【特許請求の範囲】
【請求項１】
始動口に遊技球が入賞すると可変入賞装置が開成し、該可変入賞装置に入賞した遊技球がさらに該可変入賞装置に設けられている継続入賞口に入賞すると特定遊技状態となり該可変入賞装置が継続的に開放されるように構成されたパチンコ遊技機において、可変入賞装置の遊技球入賞領域内であって前記継続入賞口の上方に複数の入賞経路をそれぞれ遊技球が通過したかどうかを遊技者が見られるように設けると共に、いずれの入賞経路を通過したかを検出し得る入賞経路検出手段を設け、特定遊技状態となった場合における遊技者にとっての有利または不利の遊技態様がこの遊技球の入賞経路によって決定されるようにしたことを特徴とするパチンコ遊技機。
【請求項２】
入賞経路検出手段によりほぼ同時に異なる経路を通る複数の遊技球が検出された場合、遊技者にとって有利となる入賞経路に従い遊技態様が決定されるようにした請求項１に記載のパチンコ遊技機。
【発明の詳細な説明】
【０００１】
【発明の属する技術分野】
本発明は特定の条件を満たしたときに特定遊技状態が発生し可変入賞装置が継続的に開成され遊技球が極めて入賞し易くなるように構成されたパチンコ遊技機に関するものである。
【０００２】
【従来の技術】
従来から「ヒコーキ」，「羽根物」等と称されている第２種パチンコ遊技機は、周知のように、一対の羽根からなる可変入賞装置が遊技盤に設けられ、所定の始動口に遊技球が入賞すると、ソレノイドが作動して該羽根が１回ないし２回開閉作動し、遊技盤面を流下する遊技球がこの羽根で捕捉され該可変入賞装置に入り易くなるように構成されている。そしてこの可変入賞装置内にはさらにＶゾーンと称される継続入賞口が設けられ、可変入賞装置に入賞した遊技球がこの継続入賞口に入賞した場合は特定遊技状態（大当たり）が発生し、ソレノイドの作動により該羽根が１８回程継続的に開閉し（第１ラウンドが始まる）、その間に該可変入賞装置に１０個まで遊技球が入賞し得るようになりその第１ラウンドの間に該可変入賞装置に入賞した遊技球の内少なくとも１個が継続入賞口に入賞した場合は、第２ラウンドが開始されて羽根の継続的開閉がさらに繰り返され、以下同様に、最高１５ラウンドまで繰り返され、このような特定遊技状態の期間中に多数の景品球を獲得できるようにしたものである。
【０００３】
【発明が解決しようとする課題】
ところで、従来のこの種のパチンコ遊技機は、通常遊技時は、遊技球が始動口→可変入賞装置→継続入賞口の順に入賞することを目指すだけであって、遊技内容としては極めて単純であったので、遊技者の興味が次第に損なわれる状況にあった。そして上記の継続回数、即ち繰返し可能回数についても予め決められたもの、或いは乱数発生回路によって決められる変数により決定されるにすぎないものであったので、変化がなく次第に興味が損なわれるものであった。
【０００４】
本発明は、上記欠点を改善するためパチンコ遊技機に従来にない斬新な要素を取り入れ、パチンコ遊技の興趣を増大しようとするものである。
【０００５】
【課題を解決するための手段】
そのために本発明のパチンコ遊技機は、始動口に遊技球が入賞すると可変入賞装置が開成し、該可変入賞装置に入賞した遊技球がさらに該可変入賞装置に設けられている継続入賞口に入賞すると特定遊技状態となり該可変入賞装置が継続的に開放されるように構成されたパチンコ遊技機において、可変入賞装置の遊技球入賞領域内であって前記継続入賞口の上方に複数の入賞経路をそれぞれ遊技球が通過したかどうかを遊技者が見られるように設けると共に、いずれの入賞経路を通過したかを検出し得る入賞経路検出手段を設け、特定遊技状態となった場合における遊技者にとっての有利または不利の遊技態様がこの遊技球の入賞経路によって決定されるようにしたことを特徴とする。
また、本発明は上記パチンコ遊技機において、入賞経路検出手段によりほぼ同時に異なる経路を通る複数の遊技球が検出された場合、遊技者にとって有利となる入賞経路に従い遊技態様が決定されるようにしたことを特徴とする。
【０００６】
【発明の実施の形態】
次に本発明を第２種パチンコ遊技機に適用した実施の形態を図面に従い説明する。図１は本発明に係るパチンコ遊技機の遊技盤１を示すもので、図中、２は天入賞口、３は通常入賞口、４は風車、５は１回用始動口、６は２回用始動口である。７は遊技盤１の中央部に設けられた可変入賞装置で、該可変入賞装置７の上部に遊技球入口８が設けられ、その両側に該遊技球入口８を開閉する一対の羽根９が対称的に設けられている。図２，図３はこの可変入賞装置７を拡大して示すもので、軸受部１１に回転自在に支持された軸１０の先端に羽根９が設けられ、該軸１０はクランク１２を介してソレノイド１３に連結され、該ソレノイド１３が作動することにより該羽根９は図２に仮想線で示したように遊技球入口８を開閉させ、その開成時に遊技盤１面を流下する遊技球が遊技球入口８に入り易くなるようにしている。１４ａ，１４ｂ，１４ｃは該遊技球入口８の内側に並設された３つの球検出スイッチからなる入賞経路検出手段である。
【０００７】
遊技球入口８の下方空間である遊び領域１６は遊技者が透視できるように窓１５が開設されている。そして遊技球入口８より入賞した遊技球Ｂを後方へ流落させる傾斜棚２０が該窓１５を横断するように該遊び領域１６に設けられ該傾斜棚２０の下縁部の下方には該傾斜棚２０より落下した遊技球を受け得る上面円弧面状の受皿板２９が後傾状に形成されている。遊び領域１６の正面壁１７には海に浮ぶ南国の島の絵柄が描かれている。２１は遊び領域１６の両側壁１８に上端部を軸支２２してなる凵形の電動部材で、該電動部材２１の水平横断部分２３は前面および上面が遊技球を抱持し得る波形に形成されている。そして電動部材２１の一側にピン２４が突設されている。２５は該電動部材２１を可動させるステッピングモータで、該ステッピングモータ２５の回転軸に取着された円盤２６にピン２７が突設され、該ピン２７とピン２４とを連杆２８により連結している。なお３５は該円盤２６の回転を検出するフォトセンサである。このためステッピングモータ２５の駆動により電動部材２１は軸支２２を支点として前後に揺動すると共に、その前進位置または後退位置で停止できるようになっている。
【０００８】
３０は受皿板２９の前縁部中央に開設された継続入賞口で、該継続入賞口３０に入賞した遊技球は球検出スイッチ３１により検出されて流出口３２より流出する。また継続入賞口３０の両サイドには普通入賞口３３が開設されている。この普通入賞口３３および受皿板２９の後側部３４より流落した遊技球は球検出スイッチ３１を通過することなく流出口３２より流出し、球検出スイッチ３１を通過した遊技球とともに景品球払出装置（図示せず）を作動させる。
【０００９】
４０はステッピングモータ４１により揺動するように遊び領域１６内に設けられたイルカの形状を模した可動体で、該可動体４０はレバー４２の先端に固着され、該レバー４２は正面壁１７を貫通しステッピングモータ４１の回転軸に取着された円盤４３にピン４４を介して連結されている。４５は該円盤４３の回転を検出するフオトセンサである。なお４６は前記電動部材２１と一体に形成された雲を模した装飾体である。
【００１０】
５０は該可変入賞装置７の上部中央に設けられたドットマトリックスＬＥＤからなる可変表示器である。また、５１は該可変表示器５０の両サイドに５個宛設けられたＬＥＤからなる入賞球数表示ランプである。
【００１１】
しかしてこのパチンコ遊技機では、前記ソレノイド１３，ステッピングモータ２５，ステッピングモータ４１，可変表示器５０，入賞球数表示ランプ５１等がマイクロコンピュータからの指令により作動し、図４に示したように、該マイクロコンピュータ５５には前記１回用始動口５および２回用始動口６に入賞した遊技球を検出する球検出スイッチ（図示せず）が接続されているほか、可変入賞装置７中の前記球検出スイッチ１４ａ，１４ｂ，１４ｃ、および球検出スイッチ３１が接続されている。
【００１２】
このため、１回用始動口５または２回用始動口６に遊技球が入賞したことが検出されると、ステッピングモータ２５により円盤２６が３回転し電動部材２１が３回前後動する。また同時にソレノイド１３が作動し１回用始動口５に入賞していたときは羽根９を１回開閉させ、２回用始動口６に入賞したときは羽根９を２回開閉させる。
【００１３】
図５，図６はこのパチンコ遊技機の本発明との関連部分をフローチャートにて示すもので、図５のステップａにて可変入賞装置７に遊技球が入賞し球検出スイッチ１４ａまたは１４ｂ，１４ｃにより該遊技球が検出されると、ステップｂにて該当するスイッチフラグがＯＮされ、ステップｃ，ｄにてそのフラグが読まれ、球検出スイッチ１４ａにより遊技球が検出された場合はステップｅにて定数に「１５」が記憶され、球検出スイッチ１４ｂにより遊技球が検出された場合はステップｆにて定数に「７」が記憶され、球検出スイッチ１４ｃにより遊技球が検出された場合はステップｇにて定数に「１」が記憶されリターンする。
【００１４】
一方、図６のステップｉにて継続入賞口３０に入賞した遊技球が球検出スイッチ３１により検出されると、ステップｊにて上記記憶定数が最大ラウンド数として設定されステップｋにて特定遊技動作、即ち羽根９が１８回程継続的に開閉し（第１ラウンドが始まる）、その間に該可変入賞装置に１０個まで遊技球が入賞し得るようになりその第１ラウンドの間に該可変入賞装置に入賞した遊技球の内少なくとも１個がまた継続入賞口３０に入賞した場合は、第２ラウンドが開始されて羽根の継続的開閉がさらに繰り返される。そしてこの継続はラウンド数が上記記憶定数になるまで繰り返される。従ってこの記憶定数が大きい程長期間特定遊技状態が継続され、その間により多数の景品球を得ることができ遊技者にとって有利となる。そしてこの特定遊技動作が終わるとステップｌにて記憶定数がクリヤされリターンする。
【００１５】
なお、図５のフローチャートのステップｃがステップｄより優先して判別されることから、可変入賞装置にほぼ同時に２個以上の遊技球が入賞し球検出スイッチ１４ａ，１４ｂ，１４ｃを作動させた場合は、定数に遊技者にとって最も有利な「１５」から順に記憶され、これによって無用な混乱が生じないようにしている。即ち、入賞経路検出手段によりほぼ同時に異なる経路を通る複数の遊技球が検出された場合、遊技者にとっての有利となる入賞経路に従い遊技態様が決定されるようにしている。
【００１６】
またこの実施形態では遊技球が中央に位置する球検出スイッチ１４ａを通過すると遊技者にとって最も有利な１５ラウンドまで特定遊技状態を継続可能なるようにしたが、この各スイッチの並び順を例えば右に行くほど有利なスイッチとなるようにすれば、遊技者はなるべく右側の方に遊技球を集中させるべく遊技球を発射させるようになり、発射技術を競うこととなり得る。
【００１７】
また、この実施形態では、可変入賞装置への入賞球の入賞経路によって特定遊技状態における継続可能ラウンド数が決定されるようにしたが、その他、例えば特定遊技状態の動作中における入賞球１個当たりの景品球数を例えば球検出スイッチ１４ａを通過した場合は１５個、球検出スイッチ１４ｂを通過した場合は１０個、球検出スイッチ１４ｃを通過した場合は５個とするなど、同様に遊技者にとっての有利または不利の設定をすることができる。また、羽根９による遊技球入口８の開放時間や開放回数が上記定数に従って変化するようにすることで有利または不利の設定をすることも可能である。
【００１８】
また実施形態では、可変入賞装置に入賞した遊技球すべてをいずれかの球検出スイッチにより検出するようにしたが、入賞経路に一部にだけ球検出スイッチを設け、例えば遊技球がその球検出スイッチにより検出された場合は有利にし、検出されなかった場合は不利にするような設定をしてもよい。
【００１９】
そして、遊技者は入賞球がいずれかの球検出スイッチ１４ａ，１４ｂ，１４ｃを作動させてから遊び領域１６を経て継続入賞口３０に入賞するかどうかを見られるものであるので、有利な球検出スイッチを作動させた遊技球はなるべく継続入賞口３０に入るように大きな期待が持たれるようになるので、こうした期待感の上昇と変動でパチンコ遊技をより興趣をもって楽しむことができる。
【００２０】
【発明の効果】
以上説明したように本発明のパチンコ遊技機は、始動口に遊技球が入賞すると可変入賞装置が開成し、該可変入賞装置に入賞した遊技球がさらに該可変入賞装置に設けられている継続入賞口に入賞すると特定遊技状態となり該可変入賞装置が継続的に開放されるように構成されたパチンコ遊技機において、可変入賞装置の遊技球入賞領域に遊技球の入賞経路を複数設けると共に、いずれの入賞経路を通過したかを検出し得る入賞経路検出手段を設け、特定遊技状態となった場合における遊技者にとっての有利または不利の遊技態様がこの遊技球の入賞経路によって決定されるようにしたので、遊技者の持つ期待感が増しパチンコの興趣をより増大させる効果がある。
【図面の簡単な説明】
【図１】本発明に係るパチンコ遊技機の実施形態を示す遊技盤の正面図。
【図２】図１の可変入賞装置の正面図。
【図３】図２の可変入賞装置の縦断面図。
【図４】本発明にパチンコ遊技機のブロック図。
【図５】本発明に係るパチンコ遊技機のフローチャート。
【図６】本発明に係るパチンコ遊技機のフローチャート。
【符号の説明】
１                      遊技盤
５，６                  始動口
７                      可変入賞装置
８                      遊技球入口
９                      羽根
１４ａ，１４ｂ，１４ｃ  球検出スイッチ
１６                    遊び領域
３０                    継続入賞口
３１                    球検出スイッチ
【図１】
0003921332.tif 000002
【図２】
0003921332.tif 000003
【図３】
0003921332.tif 000004
【図４】
0003921332.tif 000005
【図５】
0003921332.tif 000006
【図６】
0003921332.tif 000007